(57)【特許請求の範囲】
【請求項１】
水栓胴体に形成される湯水または水の取り出し口に連通する内パイプとこの内パイプの外側に設けられる外パイプよりなり、整流作用を有する吐水口部が、リング状の先端取付け部材を介して最下流端に装着されている二重管構造の吐水管において、湯水または水の吐水により回転する回転羽根を収容する収容箱を前記水取り出し口と内パイプ間に設け、前記回転羽根の回転力を受けて電力を発生する発電機を設け、前記吐水口部の外周にＬＥＤ照明灯を設けるとともに、前記内パイプと外パイプ間に形成される空間にリード線を設け、このリード線の一端を前記発電機に接続する一方、前記リード線の他端を前記ＬＥＤ照明灯に接続してなり、また、前記先端取付け部材の外周面が外パイプの先端内周面を介して外パイプに取り付けられており、さらに、前記ＬＥＤ照明灯への接続を、前記空間に設けたコネクタからＬＥＤ照明灯の数だけ分岐された分岐配線を用いて行うとともに、各分岐配線が吐水口部の外周に設けた前記ＬＥＤ照明灯に到達するよう、前記先端取付け部材および吐水口部は分岐配線通過可能な溝をそれぞれ外周面に有し、しかも、前記吐水口部は分岐配線とＬＥＤ照明灯の接続箇所が位置するリング溝を外周面に有し、また、吐水口部を覆うリング状のカバー体を設けたことを特徴とする吐水管。
【請求項２】
前記ＬＥＤ照明灯は、台所のシンクの底部、洗面台の洗面ボールの底部、浴槽の底部あるいは浴室の洗い場の底部等の湯水または水の吐水の当たる位置に向けて照明光を照射するよう前記吐水口部の外周に下向き状態で複数個設けられている請求項１に記載の吐水管。
【発明の詳細な説明】
【０００１】
【発明の属する技術分野】
この発明は、吐水管に関する。
【０００２】
【従来の技術】
本出願人は、内パイプと、この内パイプが差し込めない程度に大きな曲がりを有する外パイプよりなる二重管構造の吐水管を開発中である。そして、それは、ストレート形状の大径パイプにこれより長尺でストレート形状の小径パイプを挿通させ、小径パイプの両端面を大径パイプの両端面より突出させた状態で大径パイプの胴と小径パイプの胴とを同時に曲げ加工させてなるとともに、得られた吐水管の内パイプを、水栓胴体に形成される湯水混合室の湯水または水の取り出し口に連通させるものである。
【０００３】
【発明が解決しようとする課題】
ところで、この二重管構造の吐水管を備えた水栓を例えば洗面室の洗面台に設置した場合、洗面室に既設されている照明装置を点灯させて洗面室全体を明るくし、内パイプから湯水または水の吐水を行い手洗い等の動作を行っても、前記照明装置だけでは手元部分が必ずしも明るくはなかった。
【０００４】
この発明は、湯水または水の吐水を行っているときに、手元部分の暗がりの箇所も明るく照らし続けることができる吐水管を提供することを目的としている。
【０００５】
【課題を解決するための手段】
上記目的を達成するため、この発明の吐水管は、水栓胴体に形成される湯水または水の取り出し口に連通する内パイプとこの内パイプの外側に設けられる外パイプよりなり、整流作用を有する吐水口部が、リング状の先端取付け部材を介して最下流端に装着されている二重管構造の吐水管において、湯水または水の吐水により回転する回転羽根を収容する収容箱を前記水取り出し口と内パイプ間に設け、前記回転羽根の回転力を受けて電力を発生する発電機を設け、前記吐水口部の外周にＬＥＤ照明灯を設けるとともに、前記内パイプと外パイプ間に形成される空間にリード線を設け、このリード線の一端を前記発電機に接続する一方、前記リード線の他端を前記ＬＥＤ照明灯に接続してなり、また、前記先端取付け部材の外周面が外パイプの先端内周面を介して外パイプに取り付けられており、さらに、前記ＬＥＤ照明灯への接続を、前記空間に設けたコネクタからＬＥＤ照明灯の数だけ分岐された分岐配線を用いて行うとともに、各分岐配線が吐水口部の外周に設けた前記ＬＥＤ照明灯に到達するよう、前記先端取付け部材および吐水口部は分岐配線通過可能な溝をそれぞれ外周面に有し、しかも、前記吐水口部は分岐配線とＬＥＤ照明灯の接続箇所が位置するリング溝を外周面に有し、また、吐水口部を覆うリング状のカバー体を設けてある。
【０００６】
【０００７】
【０００８】
【発明の実施の形態】
以下、この発明の実施の形態について説明する。
図１、図２は、例えば洗面用の湯水混合水栓に適用したこの発明の一実施形態を示す。  図１、図２において、１は、二重管構造の吐水管で、内パイプ２とこの内パイプ２の外側に設けられる外パイプ３よりなる。すなわち、内パイプ２は、湯水混合水栓の水栓胴体（図示せず）の湯水混合室に形成されている湯水または水の取り出し口に連通しており、この取り出し口から供給された湯水または水の吐水路ｊを形成する小径のパイプである。外パイプ３は、内パイプ２を空気層Ｗを介して覆う大径のパイプである。
【０００９】
なお、湯水混合水栓の前記水栓胴体は、給湯配管に接続される湯導入部と、給水配管に接続される水導入部と、両導入部に連通する前記湯水混合室とを有する。
【００１０】
４は、洗面台Ｈに設けた湯水混合水栓取付け面部で、手前に洗面ボールＢが連設されている。そして、湯水混合水栓は、前記湯導入部の直上に配置された樹脂製で、回動式の湯用ハンドル５と、前記水導入部の直上に配置された樹脂製で、回動式の水用ハンドル６とを前記取付け面部４の表面４ａ上に有する。
【００１１】
一方、吐水管１の最下流端には、整流作用を有する吐水口部７が後述するリング状の先端取付け部材８にねじ止めにより装着されている。この先端取付け部材８は、吐水路ｊを通過した湯水または水の入口側に位置する外周大径部８ａと出口側に位置する外周小径部８ｂとよりなり、前記小径部８ｂは吐水口部７の上部内周面に形成された内ねじｐに螺合する外ねじｑを有する。９は、先端取付け部材８の中央を貫通する流出穴である。そして、前記大径部８ａの外周面の全面が外パイプ３の先端内周面にろう付けされるとともに、内パイプ２の先端外周面および前記流出穴９を介して内パイプ２に先端取付け部材８が嵌め込み等の手段により取り付けられている。
【００１２】
また、前記吐水口部７は、先端取付け部材８の流出穴９を通過した湯水または水の入口側に位置する外周大径部７ａと出口側に位置する外周小径部７ｂとよりなる。外周小径部７ｂは、後述する分岐配線３９とＬＥＤ照明灯２０の接続箇所が位置するリング溝４０を外周面に有する。更に、前記大径部７ａは、上流側から順に大きな内径を持つ部分とこれより小さな内径を持つ部分とよりなり、前記内ねじｐは前記大きな内径を持つ部分の内周面に形成されている。１０は、吐水口部７の中央を貫通する吐出穴で、吐水口部７を先端取付け部材８にねじ止めした後は、前記流出穴９に連通する。１１，１２は、いずれも整流板である。また、７’は吐水口部７を覆うリング状のカバー体である。
【００１３】
以下、特徴的構成について説明する。
【００１４】
２０は、吐水口部７の外周に設けた複数個のＬＥＤ照明灯である。これらＬＥＤ照明灯２０は、洗面台Ｈの洗面ボールＢの底部に向けて照明光を照射するよう吐水口部７の前記外周小径部７ｂの外周面に下向き状態で設けられている。ＬＥＤ照明灯２０の発光色は、緑、赤、青、黄の中から適宜選択できる。
【００１５】
一方、吐水管１の最上流端には、湯水または水の吐水により回転する回転羽根２１を収容する収容箱２２が設けられている。すなわち、収容箱２２は、前述した湯水混合室に形成されている湯水または水の前記取り出し口と内パイプ２の後端との間に設けられている。回転羽根２１は複数個形成されている。前記収容箱２２は、回転羽根２１の収容室２４を有する。この収容室２４は、継手２７を介して前記取り出し口と連通する。収容箱２２は、継手２７を介して前記取り出し口から収容室２４に流入する湯水または水の流入孔２４ａを有する。また、３０は、回転羽根２１の回転に連動して回転軸２９を回転させるよう回転軸２９の一端および回転羽根２１の基部に取り付けられた連結部材である。また、回転軸２９は軸受３１を介して軸部３２内に横向き状態で収容されている。
【００１６】
更に、回転軸２９の他端は、回転羽根２１の回転力を受けて電力を発生する発電機３３に接続されている。この発電機３３は、収容箱２２の背面側に取り付けられている。
【００１７】
２５は、中央に流入穴２６を有する後端取付け部材で、リング状の立ち上がり部２５ａとこの立ち上がり部２５ａの下面から横方向に突出したリング状の外向きフランジ２５ｂとよりなる。このフランジ２５ｂは、後述するリード線３７の他端部が通過可能な切欠４１を有する。そして、前記フランジ２５ｂの上面が外パイプ３の後端折り曲げ部３ａの下面にろう付けされるとともに、内パイプ２の後端外周面および前記流入穴２６を介して内パイプ２に後端取付け部材２５が嵌め込み等の手段により取り付けられている。そして、前記後端取付け部材２５の直下には、収容箱２２が位置している。収容箱２２は、流入穴２６を介して収容室２４と内パイプ２の吐水路ｊを連通する連通孔２４ｂを有する。
【００１８】
そして、外パイプ３と内パイプ２間に形成される前記空気層Ｗにはリード線３７が配置されている。このリード線３７の一端は、コネクタ３８を介してＬＥＤ照明灯２０の数だけ分岐された分岐配線３９の各他端に接続されている。一方、分岐配線３９の一端はそれぞれＬＥＤ照明灯２０に接続されている。これら分岐配線３９が吐水口部７の外周小径部７ｂの外周面に位置するＬＥＤ照明灯２０に到達するよう、先端取付け部材８の外周大径部８ａおよび吐水口部７の外周大径部７ａは、分岐配線通過可能な溝ＸおよびＹをそれぞれ外周面に有する。なお、この実施形態では、分岐配線３９の一端とＬＥＤ照明灯２０との接続を容易にするために外周小径部７ｂは、分岐配線３９とＬＥＤ照明灯２０の接続箇所が位置するリング溝４０を外周面に有する。
【００１９】
一方、前記リード線３７の他端は、後端取付け部材２５の前記切欠４１を通って発電機３３のコネクタ４２に接続される。
【００２０】
４３は、座金４４を介して湯水混合水栓取付け面部４の表面４ａ上に位置するカバー部材で、リング状のシール部材を介して収容箱２２、発電機３３およびリード線３７を被覆する。
【００２１】
而して、湯水または水の吐水により回転羽根２１が回転し、この回転により発電機３３が発電し、リード線３７および分岐配線３９を介してＬＥＤ照明灯２０が発光する。これにより、湯水または水の吐水を行っているときに、手元部分の暗がりの箇所も明るく照らし続けることができる。
【００２２】
また、外パイプ３と内パイプ２間に形成される前記空気層Ｗにリード線３７を配置するとともに、外パイプ３の先端内周面と先端取付け部材８の溝Ｘの間、また、吐水口部７の溝Ｙと吐水口部７を覆うリング状のカバー体７’の間に分岐配線３９を位置させているので、リード線３７および分岐配線３９を湯水または水から確実に防水できる。
【００２３】
なお、この実施形態では、洗面台の洗面ボールの底部に向けて照明光を照射するよう設置したものを示したが、この発明の吐水管１を台所のシンクの底部に向けて照明光を照射するよう設置した場合には、従来暗がりとなり易かった食器の底部やシンクの底部を明るく照らしながら食器やシンクを洗浄できる。
【００２４】
【００２５】
【００２６】
【００２７】
【００２８】
【００２９】
【００３０】
【００３１】
【００３２】
【発明の効果】
この発明では、湯水または水の吐水を行っているときに、手元部分の暗がりの箇所も明るく照らし続けることができる吐水管を提供できる効果がある。
【図面の簡単な説明】
【図１】  この発明の一実施形態における使用状態を示す斜視図である。
【図２】  （Ａ）は、上記実施形態における構成説明図である。
（Ｂ）は、上記実施形態における要部構成説明図である。
【符号の説明】
１…吐水管、２…内パイプ、３…外パイプ、７…吐水口部、７’…カバー体、８…先端取付け部材、９…流出穴、２０…ＬＥＤ照明灯、２１…回転羽根、２２…収容箱、３３…発電機、３７…リード線、３９…分岐配線、４０…リング溝、Ｘ，Ｙ…溝。
【図１】
0003860756.tif 000002
【図２】
0003860756.tif 000003